(57)【要約】【課題】表示部の視認性が向上する表示装置およびこれを備えた空気調和機を提供する。【解決手段】ＬＥＤ１５ａａが点灯すると、ＬＥＤ１５ａａから発せられた光は、ＬＥＤ１５ａａから表示パネル１５ｄの表示部１５ｄａに直進するか、あるいは、ＬＥＤ１５ａａからから表示部１５ｄａまでの間に存在する導光部１５ｂａや光反射部１５ｃａに当たって反射しながら表示部１５ｄａへと向かう。これらのうち、導光部１５ｂａや光反射部１５ｃａに当たって反射しながら表示部１５ｄａへと向かう光は、導光部１５ｂａで反射する際に少し弱められるが、表示部１５ｄａに一番近い箇所に配置されている光反射部１５ｃａは、前述したように金属色の塗装膜あるいは金属メッキ膜で覆われているので、光反射部１５ｃａで光が反射する際にはほとんど弱められない。【選択図】図５
2017044920.tif 000002
【特許請求の範囲】
【請求項１】
発光部材と、導光部と、表示部を有する表示装置であって、
前記導光部は、前記発光部材から発せられた光を前記表示部に導き、
前記導光部と前記表示部の間に、前記発光部材から発せられた光を反射する光反射部が設けられている、
ことを特徴とする表示装置。
【請求項２】
前記発光部材と操作スイッチが実装された基板部と、
前記操作スイッチを押下する押下部と、同押下部を保持する複数のアームを有するカバー部と、
をさらに有し、
前記アームの一部が前記光反射部とされて前記導光部と前記表示部の間に配置されている、
ことを特徴とする請求項１に記載の表示装置。
【請求項３】
請求項１または請求項２に記載の表示装置を有する空気調和機。
【発明の詳細な説明】
【技術分野】
【０００１】
本発明は、機器の運転状態の表示や各種の通知および警告を行う表示装置に関するものであり、特に、空気清浄機や除湿機等といった空気調和機に搭載された表示装置に関する。
【背景技術】
【０００２】
従来、空気清浄機や除湿機等といった床置型の空気調和機には、現在の運転状態の表示や各種の通知および警告を行うための表示装置が備えられている。例えば、特許文献１には、床置型の空気調和機の一種である除湿機に備えられた表示装置が開示されており、表示装置の表示部はＬＥＤ等の光源を利用して、除湿機の運転／停止や省エネ運転の実行有無等の運転状態を表示するとともに、現在湿度の表示や水タンクが満水であることを警告するための表示を行っている。
【０００３】
一般的に、上記のような表示装置は、光源となるＬＥＤや操作ボタンが実装された操作基板と、操作基板を覆うように配置した操作パネルを有している。操作パネルには、上記操作ボタンを押下する操作スイッチやＬＥＤから発せられた光を透光させる表示部を備える。表示部は、操作パネルの一部に孔を設ける、あるいは、操作パネルの一部を透光部材とすることで構成される。そして、ＬＥＤと表示部の間には、筒状に形成されＬＥＤから発せられた光を拡散させずに表示部に導く導光部が配置されている。
【先行技術文献】
【特許文献】
【０００４】
【特許文献１】特開２０１０−２４９３４９号公報
【発明の概要】
【発明が解決しようとする課題】
【０００５】
上述した導光部を備えると、ＬＥＤから発せられた光が拡散せずに表示部へと向かうので、導光部を設けない場合と比べて表示部での表示が明るくなる。床置型の空気調和機では、使用者が表示部を真上から、あるいは、斜め上方から視認する場合が多いため、表示部での表示が明るくなれば表示部の視認性が向上する。しかし、ＬＥＤから発せられた光のうち、表示部に直進するもの以外は、導光路の内壁に反射しながら表示部へと進むため、導光路の内壁に反射する度に光が弱められて表示部での表示の明るさが十分に得られない恐れがあった。特に、表示部を斜め上方から視認する場合に、反射により弱められた光を確認することになるので、使用者の視認性が悪化する恐れがあった。
【０００６】
本発明は以上述べた問題点を解決し、表示部の視認性が向上する表示装置およびこれを備えた空気調和機を提供することを目的とする。
【課題を解決するための手段】
【０００７】
本発明は上述の課題を解決するものであって、本発明の表示装置は、発光部材と導光部と表示部を有するものであり、導光部は、発光部材から発せられた光を表示部に導く。そして、導光部と表示部の間に、発光部材から発せられた光を反射する光反射部が設けられているものである。
【発明の効果】
【０００８】
本発明の表示装置は、導光路における表示部近傍に光反射部を設けるので、表示部近傍での光の強さが増して表示部が明るくなって表示部の視認性が向上する。
【図面の簡単な説明】
【０００９】
【図１】本発明の実施形態における、空気清浄機の外観斜視図である。
【図２】本発明の実施形態における、空気清浄機の上面図である。
【図３】図１におけるＸ−Ｘ断面図である。
【図４】本発明の実施形態における、表示装置の分解斜視図である。
【図５】本発明の実施形態における、表示装置の要部説明図であり、（Ａ）は要部上面図、（Ｂ）は（Ａ）におけるＹ−Ｙ断面図である。
【図６】図３におけるＣ部拡大図である。
【発明を実施するための形態】
【００１０】
以下、本発明の実施の形態を、添付図面に基づいて詳細に説明する。実施形態としては、空気調和機の一種である空気清浄機に搭載される表示装置を例に挙げて説明する。尚、本発明は以下の実施形態に限定されることはなく、本発明の主旨を逸脱しない範囲で種々変形することが可能である。
【実施例】
【００１１】
図１および図２に示すように、本発明の実施形態における空気清浄機１は、各々合成樹脂材で形成された天面パネル１１ａ、右側面パネル１１ｂ、左側面パネル１１ｃ、底部１１ｄ、前面パネル１２、フロントパネル１３およびリアパネル１４で略直方体状に形成された本体部１１を有する。天面パネル１１ａと前面パネル１２の上端部１２ａとフロントパネル１３の上端部１３ｅとリアパネル１４の上端部１４ｅで形成される面が本体部１１の上面である。右側面パネル１１ｂと前面パネル１２の右側端部１２ｂとフロントパネル１３の右側端部１３ｆとリアパネル１４の右側端部１４ｆとで形成される面が本体部１１の右側面である。左側面パネル１１ｃと前面パネル１２の左側端部１２ｃとフロントパネル１３の左側端部１３ｇとリアパネル１４の左側端部１４ｇとで形成される面が本体部１１の左側面である。底部１１ｄとフロントパネル１３の下端部１３ｈとリアパネル１４の下端部１４ｈとで形成される面が本体部１１の底面である。
尚、以降の説明において、必要に応じ本体部１１の前面パネル１２側を前面側、本体部１１のリアパネル１４側を背面側、本体部１１の右側面パネル１１ｂ側を右側、本体部１１の左側面パネル１１ｃ側を左側と称する。
【００１２】
フロントパネル１３は前面パネル１２の前方に配置される。フロントパネル１３と前面パネル１２との間には、上下／左右に４カ所の隙間が形成される。本体部１１の上面の前方に形成される隙間が上面吸込口１３ａ、本体部１１の右側面の前方に形成される隙間が右側面吸込口１３ｂ、本体部１１の左側面の前方に形成される隙間が左側面吸込口１３ｃ、本体部１１の底面の前方に形成される隙間が底面吸込口１３ｄとされる。
【００１３】
また、本体部１１とリアパネル１４との間には、上／左右に３か所の隙間が形成される。本体部１１の上面の後方に形成される隙間が上面吹出口１４ａ、本体部１１の右側面の後方に形成される隙間が右側面吹出口１４ｂ、本体部１１の左側面の後方に形成される隙間が左側面吹出口１４ｃとされる。
【００１４】
空気清浄機１では、上面吸込口１３ａ、右側面吸込口１３ｂ、左側面吸込口１３ｃ、および底面吸込口１３ｄから本体部１１に吸い込んだ空気を、上面吹出口１４ａ、右側面吹出口１４ｂ、および左側面吹出口１４ｃから部屋に吹き出す間に、空気の除塵・加湿および脱臭が行われる。
【００１５】
上面吸込口１３ａ、右側面吸込口１３ｂ、左側面吸込口１３ｃ、および底面吸込口１３ｄと、上面吹出口１４ａ、右側面吹出口１４ｂ、および左側面吹出口１４ｃとを連通する、図３に示す本体部１１内部の空間が、本発明の空気清浄機１における通風路１０である。尚、以下の説明では、必要に応じて通風路１０における各空気吸込口１３ａ〜１３ｄ側を上流側、各空気吹出口１４ａ〜１４ｃ側を下流側として説明する。
【００１６】
通風路１０には、上流側から下流側に向かって順に、プレフィルタ２１、集塵ユニット２２、脱臭ユニット２３、加湿ユニット２４、送風機２５が配置されている。
【００１７】
プレフィルタ２１は、例えば糸状のＰＥＴ材を編みこんで網目構造としたものであり、各空気吸込口１３ａ〜１３ｄから本体部１１内部に吸い込まれる空気に含まれる塵埃を捕捉する。
【００１８】
集塵ユニット２２は、第１電気集塵機２２ａと第２電気集塵機２２ｂとで構成されている。第１電気集塵機２２ａと第２電気集塵機２２ｂは、通風路１０におけるプレフィルタ２１と脱臭ユニット２３の間に配置される仕切板１６に上下方向に並べて配置されている。第１電気集塵機２２ａおよび第２電気集塵機２２ｂは、各々が合成樹脂材で箱型に形成された筐体を有し、各々の筐体内部には、図示しない放電電極と集塵電極が設けられている。また、第１電気集塵機２２ａおよび第２電気集塵機２２ｂは、各々の筐体前面（通風路１０の上流側に臨む面）に集塵口２２ａａおよび集塵口２２ｂａを備えている。第１電気集塵機２２ａおよび第２電気集塵機２２ｂは、集塵口２２ａａおよび集塵口２２ｂａから取り込んだ空気に含まれるプレフィルタ２１で除去できなかった細かな塵埃や花粉等を、放電電極によるコロナ放電により発生させたイオンによって帯電させ、帯電した塵埃や花粉等を集塵電極で捕捉する。
【００１９】
脱臭ユニット２３は、脱臭フィルタ２３ａと加熱部２３ｆを有する。脱臭フィルタ２３ａは、例えば、平板材と波形に連続屈曲した屈曲材とを交互に積層してなる波形構造やハニカム構造のような多孔構造の基材を円板状に形成してなり、図示は省略するが基材に臭気成分を吸着して分解する触媒層を設けたものである。加熱部２３ｆは、ＰＴＣヒータ２３ｂと、２枚の放熱板２３ｃと、２個の断熱材２３ｄと、２個のケース２３ｅとで構成される。ＰＴＣヒータ２３ｂは、２枚の放熱板２３ｃのうち前面側に配置された放熱板２３ｃに取り付けられて、２枚の放熱板２３ｃを加熱する。２枚の放熱板２３ｃは、各々が略三角形状に形成された金属板であり、脱臭フィルタ２３ａの一部を覆うように配置される。２枚の放熱板２３ｃは、脱臭フィルタ２３ａの中央部に位置する箇所や脱臭フィルタ２３ａの外径側で接触するように構成されているので、ＰＴＣヒータ２３ｂにより前面側に配置された放熱板２３ｃだけではなく、背面側の放熱板２３ｃも加熱される。断熱材２３ｄは、ＰＴＣヒータ２３ｂや放熱板２３ｃを覆うように配置されてＰＴＣヒータ２３ｂや放熱板２３ｃからの熱が外部に逃げることを抑制する。ケース２３ｅは、ＰＴＣヒータ２３ｂや放熱板２３ｃや断熱材２３ｄを保持できる形状に形成されている。
【００２０】
脱臭フィルタ２３ａの脱臭能力を再生するときは、ＰＴＣヒータ２３ｂにより２枚の放熱板２３ｃを加熱し、２枚の放熱板２３ｃにより覆われた脱臭フィルタ２３ａの一部を加熱する。図示しないモータによって脱臭フィルタ２３ａを回転させながら脱臭フィルタ２３ａを加熱することによって、脱臭フィルタ２３ａの触媒層２３ａｂに吸着されていた臭気成分の分解が促進され、脱臭フィルタ２３ａの脱臭能力が再生される。
【００２１】
加湿ユニット２４は、加湿フィルタ２４ａと水を貯留する貯水タンク２４ｂを有する。加湿フィルタ２４ａは、円板状に形成されてその一部が貯水タンク２４ｂに溜められた水に浸った状態で回転軸により回転可能に支持されており、図示しないモータにより回転するようになっている。
【００２２】
送風機２５は、ターボファン２５ａとファンモータ２５ｂを有する。ターボファン２５ａは、合成樹脂材で形成されており、ファンモータ２５ｂの出力軸に接続されている。ファンモータ２５ｂは回転数可変であり、ファンモータ２５ｂが回転することでターボファン２５ａも回転し、ターボファン２５ａの回転によって、各空気吸込口１３ａ〜１３ｄから空気清浄機１内部へ空気が流入し、空気清浄機１内部から各空気吹出口１４ａ〜１４ｃを経て空気が流出する。
【００２３】
以上説明した構成を有する空気清浄機が運転を開始すると、送風機２５が駆動するとともに、集塵ユニット２２の第１電気集塵機２２ａおよび第２電気集塵機２２ｂに通電が開始される。また、空気清浄とともに空気の加湿を行う場合は、加湿ユニット２４の加湿フィルタ２４ａが回転を開始する。送風機２５が駆動すると、上面吸込口１３ａ、右側面吸込口１３ｂ、左側面吸込口１３ｃ、および底面吸込口１３ｄの各空気吸込口１３ａ〜１３ｄから通風路１０の吸入路１０ａに空気が吸い込まれる。
【００２４】
吸入路１０ａに吸い込まれた空気は、１）通風路１０における脱臭ユニット２３の下部と加湿ユニット２４の上部とが前後方向に重なって配置される箇所では、プレフィルタ２１→吸入路１０ａ→集塵ユニット２２→脱臭ユニット２３→加湿ユニット２４の順に、２）通風路１０における脱臭ユニット２３の下部と加湿ユニット２４の上部とが前後方向に重なって配置されていない箇所では、プレフィルタ２１→吸入路１０ａ→集塵ユニット２２→脱臭ユニット２３の順に、または、プレフィルタ２１→吸入路１０ａ→集塵ユニット２２→加湿ユニット２４の順に、それぞれ流れる。このとき、プレフィルタ２１および通電されている集塵ユニット２２で吸い込まれた空気に含まれる塵埃や花粉が除去される。また、脱臭ユニット２３で吸い込まれた空気に含まれる臭気成分が除去されるとともに、加湿ユニット２４で吸い込まれた空気が加湿される。
【００２５】
図１及び図２に示すように、空気清浄機１の本体部１１の上面には、上面吸込口１３ａの一部を覆うように表示装置１５が設けられている。表示装置１５は、図３および図４に示すように、基板部１５ａと、操作部１５ｂと、カバー部１５ｃと、表示パネル１５ｄで構成されている。
【００２６】
図４に示すように、基板部１５は、プリント基板１５ａｃに複数の操作スイッチ１５ａｂと複数のＬＥＤ１５ａａが実装されている。操作スイッチ１５ａｂは、空気清浄機１の電源オンオフを行う電源スイッチや空気清浄機１の運転モード（空気清浄のみ／加湿・空気清浄、等）を選択するための運転モード切替スイッチ、風量（弱／中／強、等）を選択するための風量切替スイッチ等、空気清浄機１で選択できる機能に応じて設けられている。操作スイッチ１５ａｂは、プリント基板１５ａｃの前面側に左右方向に並べて実装されている。
【００２７】
ＬＥＤ１５ａａは、上述した操作スイッチ１５ａｂの操作により選択された機能の表示や、使用者への通知（例えば、現在の湿度）や警告（例えば、加湿用の水タンクの水量不足）等を行うために設けられており、選択できる機能や通知・警告の内容に応じて設けられている。ＬＥＤ１５ａａは、プリント基板１５ａｃにおいて操作スイッチ１５ａｂより背面側に実装され、かつ、機能を表示するものについては、当該機能を選択する操作スイッチ１５ａｂの近傍に実装されている。
【００２８】
尚、基板部１５には、これらＬＥＤ１５ａａや操作スイッチ１５ａｂ以外に、抵抗やコンデンサ、制御用ＩＣ等といった様々な電子部品がプリント基板１５ａｃに実装されているが、図示と詳細な説明は省略する。
【００２９】
操作部１５ｂは、合成樹脂材で横長の板状に形成された操作部本体１５ｂｅに、基板部１５ａの操作スイッチ１５ａｂと同数の押下部１５ｂｂと、基板部１５ａのＬＥＤ１５ａａと同数の導光部１５ｂａと、緩衝材１５ｂｄが設けられてなる。
【００３０】
押下部１５ｂｂは略直方体状に形成されている。押下部１５ｂｂは、図示しない薄肉のアームで操作部本体１５ｂｅに片持ち保持されており、アームが弾性変形することで上下方向に移動可能とされている。押下部１５ｂｂは、操作部本体１５ｂｅの前面側に左右方向に並べて、かつ、基板部１５ａにおける操作スイッチ１５ａｂの配置に対応して配置されている。各押下部１５ｂｂには、押下部１５ｂｂ下面から下方に伸びるように凸部１５ｂｃが設けられており、押下部１５ｂｂを押下すると、押下された押下部１５ｂｂの凸部１５ｂｃが対応する操作スイッチ１５ａｂを押下するようになっている。
【００３１】
導光部１５ｂａは円筒状に形成されている。導光部１５ｂａは、操作部本体１５ｂｅにおいて押下部１５ｂｂより背面側に、かつ、基板部１５ａにおけるＬＥＤ１５ａａの配置に対応して配置されている。円筒状の導光部１５ｂａは、基板部１５ａａ側と後述するカバー部１５ｃ側が開口されており、ＬＥＤ１５ａａから発せられた光をカバー部１５ｃを介して表示パネル１５ｄの表示部１５ｄａに導く。
【００３２】
緩衝材１５ｂｄは、弾性材料（例えばゴム）をシート状に形成してなり、押下部１５ｂｂを覆うように配置される。これにより、緩衝材１５ｂｄは、操作部１５ｂにカバー部１５ｃを装着したとき、押下部１５ｂｂと操作ボタン１５ｃｂの間に配置される。
【００３３】
カバー部１５ｃは合成樹脂材で形成された横長板状のカバー部本体１５ｃｅに、操作部１５ｂの押下部１５ｂｂと同数の操作ボタン１５ｃｂと、押下部１５ｂｂの導光部１５ｂａと同数の光反射部１５ｃａが設けられている。また、カバー部１５ｃの表面全面は、操作ボタン１５ｃｂの意匠性を向上させるために金属めっき膜で覆われている。
【００３４】
複数の操作ボタン１５ｃｂは略直方体状に形成されている。操作ボタン１５ｃｂは、２本のアーム１５ｃｃでカバー部本体１５ｃｅに片持ち保持されており、アーム１５ｃｃが弾性変形することで上下方向に移動可能とされている。操作ボタン１５ｃｂは、カバー部本体１５ｃｅの前面側に左右方向に並べて、かつ、操作部１５ｂにおける押下部１５ｂｂの配置に対応して配置されている。
【００３５】
光反射部１５ｃａは、カバー部本体１５ｃｅを上下に貫通する貫通孔の内面をカバー部１５ｃの表面と同様に金属めっきで覆うことによって形成される。本実施形態では、図４および図５（Ａ）に示すように、光反射部１５ｃａを形成するための貫通孔の形状は４種類に大別される。一つ目は、２本のアーム１５ｃｃの間に矩形状に形成されている７つの貫通孔であり、この貫通孔の内面が第１光反射部１５ｃａ１である。二つ目は、アーム１５ｃｃの左右いずれかの側部に半円形状に形成されている６つの貫通孔であり、この貫通孔の内面が第２光反射部１５ｃａ２である。三つ目は、アーム１５ｃｃの左側部に４分の３円形状に形成されている２つの貫通孔であり、この貫通孔の内面が第３光反射部１５ｃａ３である。そして、四つ目が、アーム１５ｃｃや第１光反射部１５ｃａ１〜第３光反射部１５ｃａ３の背面側に円形状に形成されている７つの貫通孔であり、この貫通孔の内面が第４光反射部１５ｃａ４である。これら第１光反射部１５ｃａ１〜第４光反射部１５ｃａ４を形成する各貫通孔は、操作部１５ｂにおける導光部１５ｂａの配置に対応して配置されている。
【００３６】
尚、カバー部材１５ｃのカバー部本体１５ｃｅには、上記第１光反射部１５ｃａ１〜第４光反射部１５ｃａ４を形成する各貫通孔以外に、複数のスリット１５ｃｄが設けられている。アーム１５ｃｃは、このスリット１５ｃｄや光反射部１５ｃａを形成する貫通孔によって形成されることで、操作ボタン１５ｃｂをカバー部本体１５ｃｅに片持ち保持し、操作ボタン１５ｃｂを上下方向に移動可能としている。
【００３７】
表示パネル１５ｄは、無色透明の合成樹脂材で横長板状に形成されたパネル本体１５ｄｃに、カバー部１５ｃの操作ボタン１５ｃｂと同数の貫通孔１５ｄｂと、カバー部１５ｃの光反射部１５ｃａと同数の表示部１５ｄａが設けられている。
【００３８】
貫通孔１５ｄｂは、パネル本体１５ｄｃの前面側に左右方向に並べて、かつ、カバー部１５ｃにおける操作ボタン１５ｃｂの配置に対応して配置されている。各貫通孔１５ｄｂは、対応する各操作ボタン１５ｃｂの形状に応じた形状とされており、表示パネル１５ｄをカバー部１５ｃに装着した際に、各操作ボタン１５ｃｂが対応する各貫通孔１５ｄｂから表示パネル１５ｄ上部へ突出するようになっている。
【００３９】
表示部１５ｄａは円形状に形成されている。表示部１５ｄａは、パネル本体１５ｄｃにおいて貫通孔１５ｄｂより背面側に、かつ、カバー部１５ｃにおける光反射部１５ｃａの配置に対応して配置されている。表示部１５ｄａは、表示パネル１５ｄの裏面に不図示の光を通さない層（不透過層）を印刷等によって設ける際に、表示部１５ｄａとなる箇所を除いて印刷することによって形成される。これにより、表示部１５ｄａでは、パネル本体１５ｄｃを構成する無色透明の合成樹脂材が露出するので、ＬＥＤ１５ａａから発せられた光が表示部１５ｄａを透過する。
【００４０】
尚、表示パネル１５ｄに不透過層を印刷する際に、各貫通孔１５ｄｂの周囲や表示部１５ｄａの周囲に、各操作ボタン１５ｃｂを操作することによって奏する機能の名称や使用者への通知内容および警告内容を合せて印刷する。
【００４１】
以上説明した基板部１５ａ、操作部１５ｂ、カバー部１５ｃ、および表示パネル１５ｄをこの順で組み合わせることによって、表示装置１５が完成する。具体的には、基板部１５ａの上側に操作部１５ｂを装着し、次に操作部１５ｂの上側にカバー部１５ｃを装着し、最後にカバー部１５ｃの上側に表示パネル１５ｄを装着する。各部材の装着は、ねじ止め、機械的な嵌合、あるいは、接着剤や両面テープによる接着等によってなされる。
【００４２】
次に、図５を用いて、上述した本発明の表示装置１５が奏する作用および効果について説明する。尚、図５（Ａ）は、以下に記載する説明をわかりやすくするために表示装置１５の最上層である表示パネル１５ｄを取り除いた状態での上面図を示している。また、図５（Ｂ）は、図５（Ａ）におけるＹ−Ｙ断面図であり、基板部１５ａのＬＥＤ１５ａａから発せられた光Ｌが、操作部１５ｂの導光部１５ｂａおよびカバー部１５ｃの光反射部１５ｃａ（図５（Ｂ）の断面図では、第１光反射部１５ｃａ１および第４光反射部１５ｃａ４。以下、光反射部１５ｃａと記載）を介して、表示パネル１５ｄの表示部１５ｄａに導かれる様子を示している。
【００４３】
表示装置１５において各部材が組み合わされた状態では、図５（Ｂ）に示すように、操作部１５ｂの押下部１５ｂｂに設けられた凸部１５ｂｃが、基板部１５ａの操作スイッチ１５ａｂに接するように配置され、押下部１５ｂｂの上端部が緩衝材１５ｂｄを介してカバー部１５ｃの操作ボタン１５ｃｂの下端部に接するように配置される。これにより、使用者が操作ボタン１５ｃｂを押下することによって、押下された操作ボタン１５ｃｂに対応する押下部１５ｂｂが下方へ押され、押下部１５ｂｂの凸部１５ｂｃが対応する操作スイッチ１５ａｂを押下される。
【００４４】
また、操作部１５ｂの導光部１５ｂａが基板部１５ａのＬＥＤ１５ａａを覆うように配置されるとともに、操作部１５ｂの導光部１５ｂａの上端部には、カバー部１５ｃの光反射部１５ｃａが導光部１５ｂａの上端部と隙間なく配置される。尚、図５（Ｂ）に断面を示す箇所以外の、操作ボタン１５ｃｂと押下部１５ｂｂと操作スイッチ１５ａｂの位置関係、および、ＬＥＤ１５ａａと導光部１５ｂａと光反射部１５ｃａの位置関係も、全て上記と同じである、
【００４５】
使用者が操作ボタン１５ｃｂを押下すると、上述したように押下された操作ボタン１５ｃｂに対応する押下部１５ｂｂが押下され、押下部１５ｂｂの凸部１５ｂｃが操作スイッチ１５ａｂを押下する。これにより、押下された操作スイッチ１５ａｂに対応する機能が切り替わり、切り替えられた機能を示すＬＥＤ１５ａａが点灯する。
【００４６】
ＬＥＤ１５ａａが点灯すると、ＬＥＤ１５ａａから発せられた光は、ＬＥＤ１５ａａから表示パネル１５ｄの表示部１５ｄａに直進して向かうか、あるいは、ＬＥＤ１５ａａからから表示部１５ｄａまでの間に存在する導光部１５ｂａや光反射部１５ｃａに当たって反射しながら表示部１５ｄａへと向かう。
【００４７】
上記のうち、導光部１５ｂａや光反射部１５ｃａに当たって反射しながら表示部１５ｄａへと向かう光は、導光部１５ｂａで反射する際に弱められて光反射部１５ｃａに到達する。そして、本実施形態のように金属めっき膜で覆われている光反射部１５ｃａが設けられているか否かで、表示部１５ｄａの視認性が異なる。
【００４８】
光反射部１５ｃａが設けられている場合は、例えば、図５（Ｂ）に示す光路Ｌ１のように、ＬＥＤ１５ａａから発せられた光が直接光反射部１５ｃａに到達する場合は、光反射部１５ｃａで光が反射する際にほとんど弱められない。また、光路Ｌ２のように、ＬＥＤ１５ａａから発せられた光が複数回導光路１５ｂａで反射した後光反射部１５ｃａに到達する場合は、光が導光路１５ｂａで反射する度に弱められるが、最後に光反射部１５ｃａで光が反射する際はほとんど弱められない。これに対し、光反射部１５ｃａが設けられていない場合は、上述した光路Ｌ１および光路Ｌ２で表示部１５ｄａの近傍に到達した光は、表示部１５ｄａの近傍で反射する際に弱められる。
【００４９】
表示部１５ｄａでの視認性は表示部１５ｄａの明るさによって異なり、表示部１５ｄａの明るさは光路Ｌ１および光路Ｌ２で表示部１５ｄａに到達した光の強さに起因する。従って、本実施形態のように、光反射部１５ｃａが設けられている場合は、光反射部１５ｃａが設けられていない場合と比べて表示部１５ｄａに到達した光の強さが強い、つまり、表示部１５ｄａの明るさが明るくなるので、表示部１５ｄａの視認性が向上する。特に、本実施形態のように、光反射部１５ｃａが表示部１５ｄａの下方近傍に配置される場合は、図５（Ｂ）に示す視線Ｅのように、表示装置１５を前方斜め上から表示部１５ｄａを視認したときに表示部１５ｄａから光反射部１５ｃａが見えているので、光反射部１５ｃａによる表示部１５ｄａの視認性向上の効果が大きい。
【００５０】
以上説明した本実施形態では、導光部１５ｂａと表示部１５ｄａの間に光反射部１５ｃａが配置される場合について説明したが、導光部１５ｄａにおける表示部１５ｄａ近傍部分に金属めっき等を施すことによって導光部１５ｄａの一部を光反射部としてもよい。また、導光部１５ｄａ全てに金属めっき等を施すことにより導光部１５ｄａが光反射部の機能を兼ねるようにしてもよい。
【００５１】
尚、本実施形態の空気清浄機１には、上述した表示装置１５に加えて、図１乃至図３、および、図６に示す塵埃量表示部１７が設けられている。塵埃量表示部１７は、図６に示すように、窓部１７ａと、透光部１７ｂと、複数のＬＥＤ１７ｃ（図６では、これらのうちの一つを図示）で構成されている。
【００５２】
窓部１７ａは、前面パネル１２の上端部１２ａの端部と、カバー部１５ｃの凸部１５ｃｆでスリット状に形成されている。透光部１７ｂは、光を透過する合成樹脂材で横長の板状に形成されており、本体部１１の内部から窓部１７ａを覆うように配置されている。複数のＬＥＤ１７ｃは透光部１７ｂより本体部１１の内部側に配置されており、各ＬＥＤ１７は異なる色の光を発する。
【００５３】
空気清浄機１には、図示は省略するが、空気清浄機１が設置された部屋の塵埃量を検出する塵埃センサが設けられている。具体的には、塵埃センサは本体部１１の内部における各空気吸込口１３ａ〜１３ｄのうち少なくとも１つの空気吸込口近傍に配置されている。
【００５４】
塵埃量表示部１７は、上述した塵埃センサの検出値に応じた表示を行う。例えば、塵埃センサでの検出値に複数の閾値を設け、検出値が各閾値を超えたときに予め各閾値に対応して発光するよう定めたＬＥＤ１７ｃを発光させる。
【００５５】
ＬＥＤ１７ｃから発せられた光は、透光部１７ｂを介して窓部１７ａから直接本体部１１外部へ進むもの（図６における光路Ｌ３）の他に、透光部１７ｂを介して窓部１７ａを形成する凸部１５ｃｆで反射して本体部１１外部へ進むもの（図６における光路Ｌ４）がある。凸部１５ｃｆには、凸部１５ｃｆの上端部から後方に向かって下方に傾斜するようにテーパーが設けられており、前述したようにカバー部１５ｃは金属めっき膜で覆われていることから、凸部１５ｃｆも金属めっき膜が存在する。
【００５６】
従って、光路Ｌ４で本体部１１外部へ進む光は、凸部１５ｃｆで反射する際にほとんど弱められることがないので、凸部１５ｃｆも金属めっき膜が存在しない場合と比べて光の強さが強くなる。これにより、使用者が図に示す視線Ｅで塵埃量表示部１７を見たときの視認性が向上する。
【００５７】
尚、以上説明した実施形態では、カバー部１５ｃの表面全面に金属めっき膜を施しているが、本発明はこれに限らず、光を反射させる目的と意匠性を向上させる目的が達成されるものであればよく、例えば、カバー部１５ｃの表面全面に金属色の塗装膜を設ける等、金属めっきとは別の手段を用いてもよい。
【符号の説明】
【００５８】
１  空気清浄機
１０  通風路
１１  本体部
１２  前面パネル
１３  フロントパネル
１５  表示装置
１５ａ  基板部
１５ａａ  ＬＥＤ
１５ａｂ  操作スイッチ
１５ａｃ  プリント基板
１５ｂ  操作部
１５ｂａ  導光部
１５ｂｂ  押下部
１５ｂｃ  凸部
１５ｂｅ  操作部本体
１５ｃ  カバー部
１５ｃａ  光反射部
１５ｃａ１  第１光反射部
１５ｃａ２  第２光反射部
１５ｃａ３  第３光反射部
１５ｃａ４  第４光反射部
１５ｃｂ  操作ボタン
１５ｃｃ  アーム
１５ｃｄ  スリット
１５ｃｅ  カバー部本体
１５ｃｆ  凸部
１５ｄ  表示パネル
１５ｄａ  表示部
１５ｄｂ  貫通孔
１５ｄｃ  パネル本体
１７  インジケータ
１７ａ  窓部
１７ｂ  透光部
１７ｃ  ＬＥＤ
２２  集塵ユニット
２３  脱臭ユニット
２４  加湿ユニット
２５  送風機
【図１】
2017044920.tif 000003
【図２】
2017044920.tif 000004
【図３】
2017044920.tif 000005
【図４】
2017044920.tif 000006
【図５】
2017044920.tif 000007
【図６】
2017044920.tif 000008